(57)【要約】【課題】１台のユニットによりエンボス加工処理と開孔処理とを行い、かつエンボス底面に位置ズレすることなく開孔処理が行える多孔シート製造装置とする。【解決手段】表面に多数の凹状部１１ａが配置された凹側エンボスロール１１と、この凹側エンボスロール１１に対向配置されるとともに、表面に前記凹状部１１ａに対応する多数の凸状部１２ａが配置された凸側エンボスロール１２と、前記凹側エンボスロール１１に対向配置されるとともに、表面に前記凹状部１１ａに対応する多数のニードル状突起１３ａが配置されたニードルロール１３とを備え、シートＳを前記凹側エンボスロールと凸側エンボスロールとの間を通過させエンボス加工処理を行い、シートＳの凹状エンボス加工部分を前記凹側エンボスロール１１の凹状部１１ａに保持したまま、前記凹側エンボスロールとニードルロールとの間を通過させることによりエンボス底部に開孔処理を行う。【選択図】図５
2008018537.tif 000002
【特許請求の範囲】
【請求項１】
表面に多数の凹状部が配置された凹側エンボスロールと、この凹側エンボスロールに対向配置されるとともに、表面に前記凹状部に対応する多数の凸状部が配置された凸側エンボスロールと、前記凹側エンボスロールに対向配置されるとともに、表面に前記凹状部に対応する多数のニードル状突起が配置されたニードルロールとを備え、少なくともプラスチックフィルム層を含むシートを前記凹側エンボスロールと凸側エンボスロールとの間を通過させることにより前記凹状部と凸状部との噛み合わせによってドット状のエンボス加工処理を行い、次いで前記シートは前記凹側エンボスロール側表面を走行し、シートの凹状エンボス加工部分を前記凹側エンボスロールの凹状部に保持した状態のまま、前記凹側エンボスロールとニードルロールとの間を通過させることにより前記凹状部とニードル状突起との噛み合わせによって前記凹状エンボスの底部に開孔処理を行うようにしたことを特徴とする多孔シートの製造装置。
【請求項２】
表面に多数の凹状部が配置された凹側エンボスロールと、この凹側エンボスロールに対向配置されるとともに、表面に前記凹状部に対応する多数の凸状部が配置された凸側エンボスロールと、前記凹側エンボスロールに対向配置されるとともに、表面に前記凹状部に対応する多数のニードル状突起が配置されたニードルロールとを備え、少なくともプラスチックフィルム層を含むシートを前記凹側エンボスロールとニードルロールとの間を通過させることにより前記凹状部とニードル状突起との噛み合わせによって開孔処理を行い、次いで前記シートは前記凹側エンボスロール側表面を走行し、シートの開孔処理部分を前記凹側エンボスロールの凹状部に保持した状態のまま、前記凹側エンボスロールと凸側エンボスロールとの間を通過させることにより前記凹状部と凸状部との噛み合わせによってドット状のエンボス加工処理を行うようにしたことを特徴とする多孔シートの製造装置。
【請求項３】
前記凹側エンボスロールの凹状部は、浅部側に前記凸側エンボスロールの凸状部に対応した相対的に大径の第１凹状部分を有し、かつ深部側に前記ニードルロールのニードル状突起に対応した相対的に小径の第２凹状部分を有する請求項１、２いずれかに記載の多孔シートの製造装置。
【発明の詳細な説明】
【技術分野】
【０００１】
本発明は、多数のドット状エンボスが形成されるとともに、エンボス底部に開孔が形成された吸収性物品の表面シート等を製造するための装置に関する。
【背景技術】
【０００２】
従来より、吸収性物品の表面シートとして、肌への接触面積を低減させることにより、湿り感を抑える、或いは質感を出すとともに、感触性を高めるなど種々の目的に応じて適宜形状のドット状エンボスパターンを多数付与したものが市場に提供されている。
【０００３】
例えば、下記特許文献１では、多孔表面シートと親水性シートとの一部または全部が複数のエンボスによって接合されるとともに、少なくとも体液排出部位領域では隣接するエンボス間の中心間隔を１．０mm以上２．５mm未満とした吸収性物品が提案されている。
【０００４】
また、下記特許文献２では、多孔性プラスチック表面シートは、体液排出部位及びその近傍を含む第１領域において、隣接するエンボス間の中心間隔を５〜１０mmとするエンボスパターンとし、かつ前記第１領域以外の第２領域において、隣接するエンボス間の中心間隔を０．５〜２mmとした吸収性物品が提案されている。
【０００５】
一方、前記表面シートに対する開孔処理は、エンボス位置とは無関係に表面シートの全体に形成する場合と、表面シートの凹部に流動した体液を滞留させずに速やかに吸収体に移行させるために、エンボス底部に形成する場合とがある。
【特許文献１】特開２００４−４９６９７号公報
【特許文献２】特開２００４−２９８４２２号公報
【発明の開示】
【発明が解決しようとする課題】
【０００６】
多孔表面シートに多数のドット状エンボス加工を施すとともに、特にエンボス底部に開孔処理を施すようにする場合、従来は凸状部が多数配列された凸側エンボスロールと、前記凸状部に対応する凹状部が多数配列された凹側エンボスロールとを対向配置したエンボスユニットにプラスチックシートを導入しエンボス加工を施した後、次工程で開孔用ニードルが多数配設されたニードルロールと、アンビルロールとを対向配置した開孔ユニットにプラスチックシートを導入し前記エンボスの底面に開孔処理を施していた。
【０００７】
しかしながら、前記プラスチックシートの張力条件、搬送速度の微妙な変化、ロールの遊びやガタ等によってエンボス加工位置と開孔位置とが僅かに変化してしまい、孔が位置ズレすることが多々あった。また、エンボス加工処理と開孔処理のために２台のユニットを設備する必要があるため、設備投資費用が嵩むとともに、２台のユニットを設置するスペースも必要になるなどの問題があった。
【０００８】
そこで本発明の主たる課題は、１台のユニットによりエンボス加工処理と開孔処理とを行い得るとともに、エンボス底面に位置ズレすることなく開孔処理を行うようにした多孔シートの製造装置を提供することにある。
【課題を解決するための手段】
【０００９】
前記課題を解決するために請求項１に係る本発明として、表面に多数の凹状部が配置された凹側エンボスロールと、この凹側エンボスロールに対向配置されるとともに、表面に前記凹状部に対応する多数の凸状部が配置された凸側エンボスロールと、前記凹側エンボスロールに対向配置されるとともに、表面に前記凹状部に対応する多数のニードル状突起が配置されたニードルロールとを備え、少なくともプラスチックフィルム層を含むシートを前記凹側エンボスロールと凸側エンボスロールとの間を通過させることにより前記凹状部と凸状部との噛み合わせによってドット状のエンボス加工処理を行い、次いで前記シートは前記凹側エンボスロール側表面を走行し、シートの凹状エンボス加工部分を前記凹側エンボスロールの凹状部に保持した状態のまま、前記凹側エンボスロールとニードルロールとの間を通過させることにより前記凹状部とニードル状突起との噛み合わせによって前記凹状エンボスの底部に開孔処理を行うようにしたことを特徴とする多孔シートの製造装置が提供される。
【００１０】
上記請求項１記載の発明においては、表面に多数の凹状部が配置された凹側エンボスロールと、この凹側エンボスロールに対向配置されるとともに、表面に前記凹状部に対応する多数の凸状部が配置された凸側エンボスロールと、前記凹側エンボスロールに対向配置されるとともに、表面に前記凹状部に対応する多数のニードル状突起が配置されたニードルロールとを備えるようにし、シートを前記凹側エンボスロールと凸側エンボスロールとの間を通過させることにより前記凹状部と凸状部との噛み合わせによってドット状のエンボス加工処理を行い、次いで前記シートは前記凹側エンボスロール側表面を走行し、シートの凹状エンボス加工部分を前記凹側エンボスロールの凹状部に保持した状態のまま、前記凹側エンボスロールとニードルロールとの間を通過させることにより前記凹状部とニードル状突起との噛み合わせによって前記凹状エンボスの底部に開孔処理を行うようにしたものである。従って、１台のユニットによりエンボス加工処理と開孔処理とを行い得るようになる。また、シートの凹状エンボス加工部分を前記凹側エンボスロールの凹状部に保持した状態のまま、前記凹側エンボスロールとニードルロールとの間を通過させることにより開孔処理を行うため、開孔が位置ズレすることなく、必然的にエンボス底部に形成されるようになる。
【００１１】
請求項２に係る本発明として、表面に多数の凹状部が配置された凹側エンボスロールと、この凹側エンボスロールに対向配置されるとともに、表面に前記凹状部に対応する多数の凸状部が配置された凸側エンボスロールと、前記凹側エンボスロールに対向配置されるとともに、表面に前記凹状部に対応する多数のニードル状突起が配置されたニードルロールとを備え、少なくともプラスチックフィルム層を含むシートを前記凹側エンボスロールとニードルロールとの間を通過させることにより前記凹状部とニードル状突起との噛み合わせによって開孔処理を行い、次いで前記シートは前記凹側エンボスロール側表面を走行し、シートの開孔処理部分を前記凹側エンボスロールの凹状部に保持した状態のまま、前記凹側エンボスロールと凸側エンボスロールとの間を通過させることにより前記凹状部と凸状部との噛み合わせによってドット状のエンボス加工処理を行うようにしたことを特徴とする多孔シートの製造装置が提供される。
【００１２】
上記請求項２記載の発明は、請求項１記載の発明と対比すると、エンボス加工処理、開孔処理の手順を逆に開孔処理、エンボス加工処理としたものである。この場合も請求項１記載の発明と同様の効果を奏することができる。
【００１３】
請求項３に係る本発明として、前記凹側エンボスロールの凹状部は、浅部側に前記凸側エンボスロールの凸状部に対応した相対的に大径の第１凹状部分を有し、かつ深部側に前記ニードルロールのニードル状突起に対応した相対的に小径の第２凹状部分を有する請求項１、２いずれかに記載の多孔シートの製造装置が提供される。
【発明の効果】
【００１４】
以上詳説のとおり本発明によれば、１台のユニットによりエンボス加工処理と開孔処理とを行うことが出来る。また、前記凹状部と凸状部とを噛み合わせた凹側エンボスロールと凸側エンボスロールとの間にシートを通過させて、ドット状のエンボス加工を施した際に、凹側エンボスロールの凹状部にエンボス加工されたシートのドット部を保持した状態のまま搬送することにより、シートがラインの流れ方向へ位置ズレするのを防止することができるため、次工程で凹状エンボスの底部へ位置ズレすることなく開孔処理を行うことができるようになる。
【発明を実施するための最良の形態】
【００１５】
以下、本発明の実施の形態について図面を参照しながら詳述する。
〔吸収性物品の構造〕
生理用ナプキン１は、主にはパンティライナー、生理用ナプキン、おりものシート、失禁パッドなどの用途に供されるもので、例えば図１に示されるように、不透液性裏面シート２と、透液性表面シート３（以下、単に表面シートという。）との間に、吸収体４または同図に示されるように、クレープ紙５によって囲繞された吸収体４が介在されるとともに、前記表面シート３と吸収体４との間に親水性のセカンドシート６を配置した構造となっている。前記吸収体４の周囲においては、前記不透液性裏面シート２と表面シート３とがホットメルト接着剤等の接着手段によって接合されている。
【００１６】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１７】
前記表面シート３としては、少なくともプラスチックフィルム層の単独層またはプラスチックフィルム層と不織布層との組合せによる複層シートが用いられ、体液を吸収体４側に透過させるために多数の開孔を有する。本表面シート３は、シートの肌触り感を向上させるために、内方側に窪む多数のドット状の窪みエンボス７，７…が施されているとともに、吸収性を向上させるために前記エンボスの底面に開孔８が形成されたものが使用される。なお、図１の図示では、窪みエンボス７、７…以外の部分が平面上に図示されているが、実際には周囲に存在する窪みエンボス７，７…の影響によって曲面状となっている。この表面シート３については後段でさらに具体的に詳述する。
【００１８】
前記不透液性裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００１９】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２０】
前記透液性表面シート３と吸収体４との間に配置される親水性セカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。
【００２１】
〔表面シート３の構造〕
前記表面シート３の基材構成は、プラスチックフィルム単独層、或いは図３(A)に示されるように、疎水性不織布層３Ａ／プラスチックフィルム層３Ｂからなる２層構造のシートや、図３(B)に示されるように、疎水性不織布層３Ａ／プラスチックフィルム３Ｂ／疎水性不織布層３Ｃからなる３層構造のシート基材、或いは疎水性不織布層３Ａ／プラスチックフィルム層３Ｂ／親水性不織布層３Ｃからなる３層構造のシート基材を好適に用いることができる。
【００２２】
前記不織布層３Ａ、３Ｃを構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、エアスルー法、サーマルボンド法は嵩高でソフトである点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００２３】
一方、前記プラスチックフィルム層３Ｂの素材としては、例えばポリエチレン、ポリプロピレン等のオレフィン系樹脂、ポリエステル、ナイロン等のポリアミド系樹脂、エチレン−酢酸ビニル共重合体（ＥＶＡ）などを好適に使用することができる。
前記表面シート３に形成された窪みエンボス７，７…の間隔（最短距離）は、４．５〜７．０mm、好ましくは６．０〜６．８mmの範囲に設定するのが望ましい。前記間隔が４．５mm未満の場合は窪みエンボス７，７…が接近し過ぎるため、立体感に乏しくなり、所望のクッション性が得られない。前記間隔が７．０mmを超える場合には間隔が広すぎて凹凸間を体液が流れてしまうことと、所望のクッション性が得られなくなる。また、凹部が肌と接触するようになるため、肌触り感が悪くなるとともに、体液吸収時におけるべた付き感を解消することができない。
【００２４】
前記肌と接触する不織布層３Ａ、中間のプラスチックフィルム層３Ｂ及び下層の不織布層３Ｃの各目付け量は、それぞれ１０〜２０g/m２、５〜１５g/m２、１０〜２０g/m２とするのが望ましい。この場合、べた付き感を解消するため表層の前記不織布層３Ａについては、１０〜１５g/m２の範囲とし目付け量を相対的に少なくするのが望ましい。
【００２５】
一方、前記エンボス底面に形成される開孔８は、開孔面積が０．００２〜７．０mm２、好ましくは０．８〜１．７mm２とするのが望ましい。前記開孔面積が０．００２mm２未満の場合には、開孔面積が小さすぎてエンボス底面に体液が滞留するようになる。また、開孔面積が７．０mm２を超える場合には、開孔を通して体液の逆戻りが発生するようになるため好ましくない。
【００２６】
〔多孔表面シートの製造装置１０〕
前記表面シート３に上記エンボス加工及び開孔処理を施すために、図５及び図６に示される本発明の製造装置１０が使用される。
前記製造装置１０は、表面に多数の凹状部１１ａが配置された凹側エンボスロール１１と、この凹側エンボスロール１１に対向配置されるとともに、表面に前記凹状部１１ａに対応する多数の凸状部１２ａが配置された凸側エンボスロール１２と、前記凹側エンボスロール１１に対向配置されるとともに、表面に前記凹状部１１ａに対応する多数のニードル状突起１３ａが配置されたニードルロール１３とを備えた装置であり、少なくともプラスチックフィルム層を含むシートＳを前記凹側エンボスロール１１と凸側エンボスロール１２との間を通過させることにより前記凹状部１１ａと凸状部１２ａとの噛み合わせによってドット状のエンボス加工処理を行い、次いで前記シートＳは前記凹側エンボスロール側表面を走行し、シートＳの凹状エンボス加工部分を前記凹側エンボスロール１１の凹状部１１ａに保持した状態のまま、前記凹側エンボスロール１１とニードルロール１３との間を通過させることにより前記凹状部１１ａとニードル状突起１３ａとの噛み合わせによって前記窪みエンボス７の底部に開孔処理を行うようにしたものである。
【００２７】
以下、具体的に詳述すると、
支持架台２０の内部には、鉛直方向に３段配置で加工ロール１１〜１３が連設されている。各加工ロール１１〜１３は、両端面に夫々支軸を備え、支柱に設けられた軸受け２１、２１によって水平軸回りに回転自在に支持されている。
【００２８】
中段に位置する加工ロールは表面に多数の凹状部１１ａが配置された凹側エンボスロール１１であり、上段に位置する加工ロールは表面に前記凹状部１１ａに対応する多数の凸状部１２ａが配置された凸側エンボスロール１２であり、下段に位置する加工ロールは表面に前記凹状部１１ａに対応する多数のニードル状突起１３ａが配置されたニードルロール１３である。前記加工ロールの材質としては、炭素鋼鋼材、合金工具鋼、高速度工具鋼、クロムモリブデン鋼などを用いる、強度を上げるために焼き入れや窒化処理等を行うことが望ましい。また、上段に位置する凸側エンボスロール１２及び下段に位置するニードルロール１３は、テーパブロックやシム等でクリアランス調整を可能とするとともに、エアー圧や油圧等によりプラス圧を調整可能とするのが望ましい。
【００２９】
前記凹側エンボスロール１１と前記凸側エンボスロール１２とは対向する組関係にあり、図７に示されるように、前記凹側エンボスロール１１に形成された凹状部１１ａと凸側エンボスロール１２に形成された凸状部１２ａとが互いに噛み合う関係にある。また同時に、前記凹側エンボスロール１１と前記ニードルロール１３とが対向する組関係にあり、図８に示されるように、前記凹側エンボスロール１１に形成された凹状部１１ａとニードルロール１３に形成されたニードル状突起１３ａとが互いに噛み合う関係にある。すなわち、中段に位置する凹側エンボスロール１１は、上段に位置する凸側エンボスロール１２と組を成す対向ロールとしての機能と、下段に位置するニードルロール１３と組を成す対向ロールとしての機能とを兼用する構造となっている。この際、前記凹側エンボスロール１１に形成された凹状部１１ａは、浅部側に前記凸側エンボスロール１２の凸状部１２ａに対応した相対的に大径の第１凹状部分１１ｂを有し、かつ深部側に前記ニードルロール１３のニードル状突起１３ａに対応した相対的に小径の第２凹状部分１１ｃを有する複合形状とするのが望ましい。
【００３０】
かかる製造設備１０においては、図５に示されるように、少なくともプラスチックフィルム層を含むシートＳを前記凹側エンボスロール１１と凸側エンボスロール１２との間を通過させることにより前記凹状部１１ａと凸状部１２ａとの噛み合わせによってドット状のエンボス加工処理を行い、次いで前記シートＳは前記凹側エンボスロール側表面を走行し、シートＳの凹状エンボス加工部分を前記凹側エンボスロール１１の凹状部１１ａに保持した状態のまま、前記凹側エンボスロール１１とニードルロール１３との間を通過させることにより前記凹状部１１ａとニードル状突起１３ａとの噛み合わせによって前記凹状エンボスの底部に開孔処理を行うようにする。なお、図示例ではシートＳは不織布層３Ａとプラスチックフィルム層３Ｂとから２層シートとされ、製造装置１０にシートＳを導入する手前で、ホットメルト接着剤等により積層されるようになっている。
前記シートＳは、エンボス加工処理を行った際、シートＳの凹状エンボス加工部分が前記凹側エンボスロール１１の凹状部１１ａに保持された状態のまま、前記凹側エンボスロール１１とニードルロール１３との間に導入されるため、エンボス底面に位置ズレすることなく開孔を形成することができるようになる。
【００３１】
〔他の形態例〕
(1)本発明は、吸収性物品の表面シートの製造に好適に使用されるが、他分野で使用される多孔シートの製造設備としても使用可能である。
(2)上記形態例では、前記凹側エンボスロール１１に形成された凹状部１１ａは、浅部側に前記凸側エンボスロール１２の凸状部１２ａに対応した相対的に大径の第１凹状部分１１ｂを有し、かつ深部側に前記ニードルロール１３のニードル状突起１３ａに対応した相対的に小径の第２凹状部分１１ｃを有する複合形状としたが、もちろん単純な凹形状としてもよい。
(3)上記形態例では、エンボス加工処理、次いで開孔処理の順で加工を行うようにしたが、図５に示されるシートＳの導入路を逆にすることにより、或いは上段にニードルロール１３、中段に凹側エンボスロール１１、下段に凸側エンボスロール１２を配置した構造とすることにより、シートＳを前記凹側エンボスロール１１とニードルロール１３との間を通過させることにより前記凹状部１１ａとニードル状突起１３ａとの噛み合わせによって開孔処理を行い、次いで前記シートＳは前記凹側エンボスロール側表面を走行し、シートＳの開孔処理部分を前記凹側エンボスロール１１の凹状部１１ａに保持した状態のまま、前記凹側エンボスロール１１と凸側エンボスロール１２との間を通過させることにより前記凹状部１１ａと凸状部１２ａとの噛み合わせによってドット状のエンボス加工処理を行うようにしてもよい。
【図面の簡単な説明】
【００３２】
【図１】生理用ナプキン吸収性物品１を示す一部破断斜視図である。
【図２】生理用ナプキン１の横断面図である。
【図３】(A)、(B)は表面シートの基材断面構成（加工前）を示す要部断面図である。
【図４】(A)、(B)は表面シートの基材断面構成（加工後）を示す要部断面図である。
【図５】多孔シート製造設備１０の側面図である。
【図６】多孔シート製造設備１０の正面図である。
【図７】凹側エンボスロール１１と凸側エンボスロール１２との噛み合わせ図である。
【図８】凹側エンボスロール１１とニードルロール１３との噛み合わせ図である。
【符号の説明】
【００３３】
１…吸収性物品（生理用ナプキン）、２…不透液性裏面シート、３…透液性表面シート、４…吸収体、５…クレープ紙、６…セカンドシート、７…窪みエンボス、８…開孔、１０…多孔シート製造設備、１１…凹側エンボスロール、１１ａ…凹状部、１１ｂ…第１凹状部分、１１ｃ…第２凹状部分、１２…凸側エンボスロール、１２ａ…凸状部、１３…ニードルロール、１３ａ…ニードル状突起
【図１】
2008018537.tif 000003
【図２】
2008018537.tif 000004
【図３】
2008018537.tif 000005
【図４】
2008018537.tif 000006
【図５】
2008018537.tif 000007
【図６】
2008018537.tif 000008
【図７】
2008018537.tif 000009
【図８】
2008018537.tif 000010